【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
アクセスポイントを有するワイヤレス通信ネットワーク、および前記アクセスポイントに関連付けられた少なくとも１つの局において、前記少なくとも１つの局のロケーションを決定する方法であって、
前記アクセスポイントから前記少なくとも１つの局に送られた第１の暗黙的なフレームと、前記少なくとも１つの局から前記アクセスポイントに送られた第２の暗黙的なフレームとを含むワイヤレス送信の往復時間（ＲＴＴ）を、前記アクセスポイントで決定することと、
前記少なくとも１つの局から前記アクセスポイントに送られた第１の暗黙的なフレームを含むワイヤレス送信の到着角（ＡＯＡ）を、前記アクセスポイントで決定することと、
前記少なくとも１つの局についての前記決定されたＲＴＴおよび前記決定されたＡＯＡを含むロケーション情報を、前記アクセスポイントでマルチキャストすることと
を備える、方法。
【請求項２】
複数の局の各々についてのＲＴＴおよびＡＯＡを、前記アクセスポイントで決定することをさらに備え、前記ロケーション情報をマルチキャストすることは、前記複数の局の各々についての前記決定されたＲＴＴおよび前記決定されたＡＯＡを含む、請求項１に記載の方法。
【請求項３】
前記複数の局の各々についての前記決定されたＲＴＴおよび前記決定されたＡＯＡは、ネットワークアドレス識別子（ＡＩＤ）と関連がある、請求項２に記載の方法。
【請求項４】
前記ワイヤレス通信ネットワークと無関係である識別に、前記複数の局の各々についての前記ＡＩＤを関連付けるマッピング情報を、前記アクセスポイントでマルチキャストすることをさらに備える、請求項３に記載の方法。
【請求項５】
前記マルチキャストすることの前に、前記マッピング情報を暗号化することをさらに備える、請求項４に記載の方法。
【請求項６】
ロケーション決定に参加することを選択した前記複数の局のサブセットに、前記アクセスポイントでの前記マッピング情報を復号するためのキーを送信することをさらに備える、請求項５に記載の方法。
【請求項７】
前記ＲＴＴを決定することは、
前記第１の暗黙的なフレームについての出発時間を記録することと、
前記第２の暗黙的なフレームについての到着時間を記録することと、
前記出発時間および前記到着時間に少なくとも部分的に基づいて、前記ＲＴＴを決定することと
を備える、請求項１に記載の方法。
【請求項８】
前記ＲＴＴを決定することはさらに、前記第１の暗黙的なフレームと前記第２の暗黙的なフレームとの間のショートフレーム間スペース（ＳＩＦＳ）を埋め合わせることを備える、請求項７に記載の方法。
【請求項９】
ロケーション情報をマルチキャストすることは、前記決定されたＲＴＴおよび前記決定されたＡＯＡをビーコン送信に含むことを備える、請求項１に記載の方法。
【請求項１０】
アクセスポイントを有するワイヤレス通信ネットワークおよび前記アクセスポイントに関連付けられた局において、前記局のロケーションを決定する方法であって、
前記アクセスポイントによって送信された少なくとも第１の暗黙的なフレームを、前記局で受信することと、
少なくとも第２の暗黙的なフレームを、前記アクセスポイントに前記局で送信することと、
前記暗黙的なフレームに少なくとも部分的に基づいて決定された往復時間（ＲＴＴ）および到着角（ＡＯＡ）を含むロケーション情報を有する前記アクセスポイントからのマルチキャストを、前記局で受信することと、
前記マルチキャストロケーション情報に少なくとも部分的に基づいて、前記局のロケーションを前記局において決定することと
を備える、方法。
【請求項１１】
前記アクセスポイントから受信された前記マルチキャストロケーション情報は、少なくとも１つの追加の局についての決定されたＲＴＴおよび決定されたＡＯＡを含み、前記決定されたＲＴＴおよび前記決定されたＡＯＡに少なくとも部分的に基づいて、前記少なくとも１つの追加の局のロケーションを、前記局において決定することをさらに備える、請求項１０に記載の方法。
【請求項１２】
前記決定された局のロケーションおよび前記少なくとも１つの追加の局の前記決定されたロケーションに少なくとも部分的に基づいて、前記少なくとも１つの追加の局に関連する前記局の位置を決定することをさらに備える、請求項１１に記載の方法。
【請求項１３】
前記少なくとも１つの追加の局についての前記決定されたＲＴＴおよび前記決定されたＡＯＡは、ネットワークアドレス識別子（ＡＩＤ）と関連がある、請求項１１に記載の方法。
【請求項１４】
前記ワイヤレス通信ネットワークと無関係である識別に、前記少なくとも１つの追加の局についての前記ＡＩＤを関連付けるマッピング情報を有する前記アクセスポイントからのマルチキャストを、前記局で受信することをさらに備える、請求項１３に記載の方法。
【請求項１５】
前記アクセスポイントによる前記マッピング情報マルチキャストは、暗号化され、ロケーション決定に参加することを選択した局に送信される前記アクセスポイントからの前記マッピング情報を復号するためのキーを前記局で受信すること、および前記マッピング情報を復号するために前記キーを使用することをさらに備える、請求項１４に記載の方法。
【請求項１６】
ワイヤレスローカルエリアネットワーク（ＷＬＡＮ）モジュールおよびロケーションマネージャを備える、ＷＬＡＮにおいて局のロケーションを決定するワイヤレス通信デバイスであって、前記ロケーションマネージャは、
前記ワイヤレス通信デバイスから第１の局に送られた第１の暗黙的なフレームと、前記第１の局から前記ワイヤレス通信デバイスに送られた第２の暗黙的なフレームとを含む、ワイヤレス送信の往復時間（ＲＴＴ）を決定することと、
前記第１の局から前記ワイヤレス通信デバイスに送られた第１の暗黙的なフレームを含むワイヤレス送信の到着角（ＡＯＡ）を決定することと、
前記第１の局についての前記決定されたＲＴＴおよび前記決定されたＡＯＡを含む前記ＷＬＡＮモジュールでロケーション情報をマルチキャストすることと、
を行うように構成される、ワイヤレス通信デバイス。
【請求項１７】
前記ロケーションマネージャはさらに、複数の局の各々についてのＲＴＴおよびＡＯＡを決定するようにさらに構成され、ロケーション情報をマルチキャストすることは、前記複数の局の各々についての前記決定されたＲＴＴおよび前記決定されたＡＯＡを含む、請求項１６に記載のワイヤレス通信デバイス。
【請求項１８】
前記複数の局の各々についての前記決定されたＲＴＴおよび前記決定されたＡＯＡは、ネットワークアドレス識別子（ＡＩＤ）と関連がある、請求項１７に記載のワイヤレス通信デバイス。
【請求項１９】
前記ロケーションマネージャはさらに、前記ワイヤレス通信ネットワークとは無関係である識別に、前記複数の局の各々についての前記ＡＩＤを関連付けるマッピング情報を、前記ＷＬＡＮモジュールでマルチキャストするように構成される、請求項１８のワイヤレス通信デバイス。
【請求項２０】
前記マッピング情報は、暗号化される、請求項１９に記載のワイヤレス通信デバイス。
【請求項２１】
前記ロケーションマネージャはさらに、ロケーション決定に参加することを選択した前記複数の局のサブセットに、前記マッピング情報を復号するためのキーを前記ＷＬＡＮモジュールで送信するように構成される、請求項２０に記載のワイヤレス通信デバイス。
【請求項２２】
前記ロケーションマネージャは、
前記第１の暗黙的なフレームについての出発時間を記録することと、
前記第２の暗黙的なフレームについての到着時間を記録することと、
前記出発時間および前記到着時間に少なくとも部分的に基づいて、前記ＲＴＴを決定することと
によって前記ＲＴＴを決定するように構成される、請求項１６に記載のワイヤレス通信デバイス。
【請求項２３】
前記ロケーションマネージャはさらに、前記第１の暗黙的なフレームと前記第２の暗黙的なフレームとの間のショートフレーム間スペース（ＳＩＦＳ）を埋め合わせることによって、前記ＲＴＴを決定するように構成される、請求項２２に記載のワイヤレス通信デバイス。
【請求項２４】
前記ロケーションマネージャは、ビーコン送信に、前記決定されたＲＴＴおよび前記決定されたＡＯＡを含むことによって、前記ＷＬＡＮモジュールでロケーション情報をマルチキャストするように構成される、請求項１６に記載のワイヤレス通信デバイス。
【請求項２５】
ワイヤレスローカルエリアネットワーク（ＷＬＡＮ）モジュールおよびロケーションマネージャを備える、アクセスポイントによって管理されたＷＬＡＮにおいてワイヤレス通信デバイスのロケーションを決定する前記ワイヤレス通信デバイスであって、前記ロケーションマネージャは、
前記アクセスポイントによって送信された少なくとも第１の暗黙的なフレームを受信することと、
少なくとも第２の暗黙的なフレームを、前記アクセスポイントに前記ＷＬＡＮモジュールで送信することと、
前記暗黙的なフレームに少なくとも部分的に基づいて決定された往復時間（ＲＴＴ）および到着角（ＡＯＡ）を含む、前記アクセスポイントによるロケーション情報マルチキャストに少なくとも部分的に基づいて、前記ワイヤレス通信デバイスのロケーションを決定することと、
を行うように構成される、ワイヤレス通信デバイス。
【請求項２６】
前記アクセスポイントから受信されたロケーション情報の前記マルチキャストは、少なくとも１つの追加の局についての決定されたＲＴＴおよび決定されたＡＯＡを含み、前記ロケーションマネージャはさらに、前記決定されたＲＴＴおよび前記決定されたＡＯＡに少なくとも部分的に基づいて、前記少なくとも１つの追加の局のロケーションを決定するように構成される、請求項２５に記載のワイヤレス通信デバイス。
【請求項２７】
前記ロケーションマネージャはさらに、前記ワイヤレス通信デバイスの前記決定されたロケーションと、前記少なくとも１つの追加の局の前記決定されたロケーションとに少なくとも部分的に基づいて、前記少なくとも１つの追加の局に関連する前記ワイヤレス通信デバイスの部分を決定するように構成される、請求項２６に記載のワイヤレス通信デバイス。
【請求項２８】
前記少なくとも１つの追加の局についての前記決定されたＲＴＴおよび前記決定されたＡＯＡは、ネットワークアドレス識別子（ＡＩＤ）と関連がある、請求項２６に記載のワイヤレス通信デバイス。
【請求項２９】
前記ロケーションマネージャはさらに、前記アクセスポイントによるマッピング情報マルチキャストに少なくとも部分的に基づいて、前記ワイヤレス通信ネットワークに無関係である識別に、前記少なくとも１つの追加の局についての前記ＡＩＤを関連付けるように構成される、請求項２８に記載のワイヤレス通信デバイス。
【請求項３０】
前記アクセスポイントによる前記マッピング情報マルチキャストは、暗号化され、前記ロケーションマネージャはさらに、ロケーション決定に参加することを選択した局に、前記アクセスポイントによって送信されるキーを使用して前記アクセスポイントからの前記マッピング情報を復号するように構成される、請求項２９に記載のワイヤレス通信デバイス。
【手続補正２】
【補正対象書類名】明細書
【補正対象項目名】００５３
【補正方法】変更
【補正の内容】
【００５３】
[0068]  先の説明は、当業者が、本明細書に説明された様々な態様の実現を可能にさせるために提供されている。これらの態様への様々な修正は、当業者にとって容易に明らかとなり、本明細書に定義された一般的な原理は、他の態様に適用され得る。よって、請求項は、本明細書に示された態様に制限されることが意図されるものではなく、請求項の文言と矛盾しない最大範囲であると認められるべきであり、ここにおいて、単数のエレメントへの参照は、そのように明確に記載されていない限り、「１つおよび１つのみ」を意味するのではなく、むしろ「１つ以上」を意味することが意図される。そうでないと特に述べられていない限り、「いくつかの」という用語は、１つ以上を指している。当業者に知られている、あるいは後に知られることになる、本開示全体にわたって説明される様々な態様のエレメントに対する全ての構造的および機能的に同等なものは、参照によって本明細書に明示的に組み込まれ、請求項によって包含されることが意図される。さらに、本明細書に開示されたことのいずれも、そのような開示が請求項において明示的に記載されているかどうかにかかわらず、公共に寄与されることが意図されるものではない。
以下に、出願当初の特許請求の範囲に記載された発明を付記する。
［Ｃ１］
アクセスポイントを有するワイヤレス通信ネットワーク、および前記アクセスポイントに関連付けられた少なくとも１つの局において、前記少なくとも１つの局のロケーションを決定する方法であって、
前記アクセスポイントから前記少なくとも１つの局に送られた第１の暗黙的なフレームと、前記少なくとも１つの局から前記アクセスポイントに送られた第２の暗黙的なフレームとを含むワイヤレス送信の往復時間（ＲＴＴ）を、前記アクセスポイントで決定することと、
前記少なくとも１つの局から前記アクセスポイントに送られた第１の暗黙的なフレームを含むワイヤレス送信の到着角（ＡＯＡ）を、前記アクセスポイントで決定することと、
前記少なくとも１つの局についての前記決定されたＲＴＴおよび前記決定されたＡＯＡを含むロケーション情報を、前記アクセスポイントでマルチキャストすることと
を備える、方法。
［Ｃ２］
複数の局の各々についてのＲＴＴおよびＡＯＡを、前記アクセスポイントで決定することをさらに備え、前記ロケーション情報をマルチキャストすることは、前記複数の局の各々についての前記決定されたＲＴＴおよび前記決定されたＡＯＡを含む、Ｃ１に記載の方法。
［Ｃ３］
前記ＲＴＴを決定することは、
前記第１の暗黙的なフレームについての出発時間を記録することと、
前記第２の暗黙的なフレームについての到着時間を記録することと、
前記出発時間および前記到着時間に少なくとも部分的に基づいて、前記ＲＴＴを決定することと
を備える、Ｃ１に記載の方法。
［Ｃ４］
前記ＲＴＴを決定することはさらに、前記第１の暗黙的なフレームと前記第２の暗黙的なフレームとの間のショートフレーム間スペース（ＳＩＦＳ）を埋め合わせることを備える、Ｃ３に記載の方法。
［Ｃ５］
ロケーション情報をマルチキャストすることは、前記決定されたＲＴＴおよび前記決定されたＡＯＡをビーコン送信に含むことを備える、Ｃ１に記載の方法。
［Ｃ６］
前記複数の局の各々についての前記決定されたＲＴＴおよび前記決定されたＡＯＡは、ネットワークアドレス識別子（ＡＩＤ）と関連がある、Ｃ２に記載の方法。
［Ｃ７］
前記ワイヤレス通信ネットワークと無関係である識別に、前記複数の局の各々についての前記ＡＩＤを関連付けるマッピング情報を、前記アクセスポイントでマルチキャストすることをさらに備える、Ｃ６に記載の方法。
［Ｃ８］
前記マルチキャストすることの前に、前記マッピング情報を暗号化することをさらに備える、Ｃ７に記載の方法。
［Ｃ９］
ロケーション決定に参加することを選択した前記複数の局のサブセットに、前記アクセスポイントでの前記マッピング情報を復号するためのキーを送信することをさらに備える、Ｃ８に記載の方法。
［Ｃ１０］
アクセスポイントを有するワイヤレス通信ネットワークおよび前記アクセスポイントに関連付けられた局において、前記局のロケーションを決定する方法であって、
前記アクセスポイントによって送信された少なくとも第１の暗黙的なフレームを、前記局で受信することと、
少なくとも第２の暗黙的なフレームを、前記アクセスポイントに前記局で送信することと、
前記暗黙的なフレームに少なくとも部分的に基づいて決定された往復時間（ＲＴＴ）および到着角（ＡＯＡ）を含むロケーション情報を有する前記アクセスポイントからのマルチキャストを、前記局で受信することと、
前記マルチキャストロケーション情報に少なくとも部分的に基づいて、前記局のロケーションを前記局において決定することと
を備える、方法。
［Ｃ１１］
前記アクセスポイントから受信された前記マルチキャストロケーション情報は、少なくとも１つの追加の局についての決定されたＲＴＴおよび決定されたＡＯＡを含み、前記決定されたＲＴＴおよび前記決定されたＡＯＡに少なくとも部分的に基づいて、前記少なくとも１つの追加の局のロケーションを、前記局において決定することをさらに備える、Ｃ１０に記載の方法。
［Ｃ１２］
前記決定された局のロケーションおよび前記少なくとも１つの追加の局の前記決定されたロケーションに少なくとも部分的に基づいて、前記少なくとも１つの追加の局に関連する前記局の位置を決定することをさらに備える、Ｃ１１に記載の方法。
［Ｃ１３］
前記少なくとも１つの追加の局についての前記決定されたＲＴＴおよび前記決定されたＡＯＡは、ネットワークアドレス識別子（ＡＩＤ）と関連がある、Ｃ１１に記載の方法。
［Ｃ１４］
前記ワイヤレス通信ネットワークと無関係である識別に、前記少なくとも１つの追加の局についての前記ＡＩＤを関連付けるマッピング情報を有する前記アクセスポイントからのマルチキャストを、前記局で受信することをさらに備える、Ｃ１３に記載の方法。
［Ｃ１５］
前記アクセスポイントによる前記マッピング情報マルチキャストは、暗号化され、ロケーション決定に参加することを選択した局に送信される前記アクセスポイントからの前記マッピング情報を復号するためのキーを前記局で受信すること、および前記マッピング情報を復号するために前記キーを使用することをさらに備える、Ｃ１４に記載の方法。
［Ｃ１６］
ワイヤレスローカルエリアネットワーク（ＷＬＡＮ）モジュールおよびロケーションマネージャを備える、ＷＬＡＮにおいて局のロケーションを決定するワイヤレス通信デバイスであって、前記ロケーションマネージャは、
前記ワイヤレス通信デバイスから第１の局に送られた第１の暗黙的なフレームと、前記第１の局から前記ワイヤレス通信デバイスに送られた第２の暗黙的なフレームとを含む、ワイヤレス送信の往復時間（ＲＴＴ）を決定することと、
前記第１の局から前記ワイヤレス通信デバイスに送られた第１の暗黙的なフレームを含むワイヤレス送信の到着角（ＡＯＡ）を決定することと、
前記第１の局についての前記決定されたＲＴＴおよび前記決定されたＡＯＡを含む前記ＷＬＡＮモジュールでロケーション情報をマルチキャストすることと、
を行うように構成される、ワイヤレス通信デバイス。
［Ｃ１７］
前記ロケーションマネージャはさらに、複数の局の各々についてのＲＴＴおよびＡＯＡを決定するようにさらに構成され、ロケーション情報をマルチキャストすることは、前記複数の局の各々についての前記決定されたＲＴＴおよび前記決定されたＡＯＡを含む、Ｃ１６に記載のワイヤレス通信デバイス。
［Ｃ１８］
前記ロケーションマネージャは、
前記第１の暗黙的なフレームについての出発時間を記録することと、
前記第２の暗黙的なフレームについての到着時間を記録することと、
前記出発時間および前記到着時間に少なくとも部分的に基づいて、前記ＲＴＴを決定することと
によって前記ＲＴＴを決定するように構成される、Ｃ１６に記載のワイヤレス通信デバイス。
［Ｃ１９］
前記ロケーションマネージャはさらに、前記第１の暗黙的なフレームと前記第２の暗黙的なフレームとの間のショートフレーム間スペース（ＳＩＦＳ）を埋め合わせることによって、前記ＲＴＴを決定するように構成される、Ｃ１８に記載のワイヤレス通信デバイス。
［Ｃ２０］
前記ロケーションマネージャは、ビーコン送信に、前記決定されたＲＴＴおよび前記決定されたＡＯＡを含むことによって、前記ＷＬＡＮモジュールでロケーション情報をマルチキャストするように構成される、Ｃ１６に記載のワイヤレス通信デバイス。
［Ｃ２１］
前記複数の局の各々についての前記決定されたＲＴＴおよび前記決定されたＡＯＡは、ネットワークアドレス識別子（ＡＩＤ）と関連がある、Ｃ１７に記載のワイヤレス通信デバイス。
［Ｃ２２］
前記ロケーションマネージャはさらに、前記ワイヤレス通信ネットワークとは無関係である識別に、前記複数の局の各々についての前記ＡＩＤを関連付けるマッピング情報を、前記ＷＬＡＮモジュールでマルチキャストするように構成される、Ｃ２１のワイヤレス通信デバイス。
［Ｃ２３］
前記マッピング情報は、暗号化される、Ｃ２２に記載のワイヤレス通信デバイス。
［Ｃ２４］
前記ロケーションマネージャはさらに、ロケーション決定に参加することを選択した前記複数の局のサブセットに、前記マッピング情報を復号するためのキーを前記ＷＬＡＮで送信するように構成される、Ｃ２３に記載のワイヤレス通信デバイス。
［Ｃ２５］
ワイヤレスローカルエリアネットワーク（ＷＬＡＮ）モジュールおよびロケーションマネージャを備える、アクセスポイントによって管理されたＷＬＡＮにおいて基地局のロケーションを決定するワイヤレス通信デバイスであって、前記ロケーションマネージャは、
前記アクセスポイントによって送信された少なくとも第１の暗黙的なフレームを受信することと、
少なくとも第２の暗黙的なフレームを、前記アクセスポイントに前記ＷＬＡＮモジュールで送信することと、
前記暗黙的なフレームに少なくとも部分的に基づいて決定された往復時間（ＲＴＴ）および到着角（ＡＯＡ）を含む、前記アクセスポイントによるロケーション情報マルチキャストに少なくとも部分的に基づいて、前記ワイヤレス通信デバイスのロケーションを決定することと、
を行うように構成される、ワイヤレス通信デバイス。
［Ｃ２６］
前記アクセスポイントから受信されたロケーション情報の前記マルチキャストは、少なくとも１つの追加の局についての決定されたＲＴＴおよび決定されたＡＯＡを含み、前記ロケーションマネージャはさらに、前記決定されたＲＴＴおよび前記決定されたＡＯＡに少なくとも部分的に基づいて、前記少なくとも１つの追加の局のロケーションを決定するように構成される、Ｃ２５に記載のワイヤレス通信デバイス。
［Ｃ２７］
前記ロケーションマネージャはさらに、前記ワイヤレス通信デバイスの前記決定されたロケーションと、前記少なくとも１つの追加の局の前記決定されたロケーションとに少なくとも部分的に基づいて、前記少なくとも１つの追加の局に関連する前記ワイヤレス通信デバイスの部分を決定するように構成される、Ｃ２６に記載のワイヤレス通信デバイス。
［Ｃ２８］
前記少なくとも１つの追加の局についての前記決定されたＲＴＴおよび前記決定されたＡＯＡは、ネットワークアドレス識別子（ＡＩＤ）と関連がある、Ｃ２６に記載のワイヤレス通信デバイス。
［Ｃ２９］
前記ロケーションマネージャはさらに、前記アクセスポイントによるマッピング情報マルチキャストに少なくとも部分的に基づいて、前記ワイヤレス通信ネットワークに無関係である識別に、前記少なくとも１つの追加の局についての前記ＡＩＤを関連付けるように構成される、Ｃ２８に記載のワイヤレス通信デバイス。
［Ｃ３０］
前記アクセスポイントによる前記マッピング情報マルチキャストは、暗号化され、前記ロケーションマネージャはさらに、ロケーション決定に参加することを選択した局に、前記アクセスポイントによって送信されるキーを使用して前記アクセスポイントからの前記マッピング情報を復号するように構成される、Ｃ２９に記載のワイヤレス通信デバイス。